(57)【要約】【課題】電子機器において、動作の基準となるクロックが複数種類存在する場合に、電子機器全体として、効率的にＥＭＩノイズを低減することを可能にする。【解決手段】３種類のクロックのうち、利用しているＩＣの数が最も多いクロック、すなわち、ディスプレイクロック１２４について周波数拡散を施すようにする。【選択図】　　　　図１
2004023556.tif 000002
【特許請求の範囲】
【請求項１】
周波数スペクトラムの拡散された拡散クロックと、周波数スペクトラムの拡散されていない非拡散クロックと、を含む複数種類のクロックに基づいて動作する電子機器であって、
前記クロックを動作の基準として利用する複数のＩＣを備えると共に、
前記複数種類のクロックのうち、そのクロックを利用しているＩＣの数が最も多いクロックを、少なくとも前記拡散クロックとすることを特徴とする電子機器。
【請求項２】
周波数スペクトラムの拡散された拡散クロックと、周波数スペクトラムの拡散されていない非拡散クロックと、を含む複数種類のクロックに基づいて動作する電子機器であって、
前記クロックを動作の基準として利用する複数のＩＣと、
前記クロックを生成する１つ以上のクロック発生器と、
を備えると共に、
前記複数種類のクロックのうち、そのクロックが生成されるクロック発生器から、最終的にそのクロックが供給されるＩＣまで、のそのクロックの信号経路が最も長いクロックを、少なくとも前記拡散クロックとすることを特徴とする電子機器。
【請求項３】
周波数スペクトラムの拡散された拡散クロックと、周波数スペクトラムの拡散されていない非拡散クロックと、を含む複数種類のクロックに基づいて動作する電子機器であって、
前記複数種類のクロックのうち、周波数が最も高いクロックを、少なくとも前記拡散クロックとすることを特徴とする電子機器。
【請求項４】
周波数スペクトラムの拡散された拡散クロックと、周波数スペクトラムの拡散されていない非拡散クロックと、を含む複数種類のクロックに基づいて動作する電子機器であって、
前記クロックを生成する１つ以上のクロック発生器を備えると共に、
前記複数種類のクロックのうち、クロック発生器の出力する出力電流が最も大きいクロックを、少なくとも前記拡散クロックとすることを特徴とする電子機器。
【請求項５】
周波数スペクトラムの拡散された拡散クロックと、周波数スペクトラムの拡散されていない非拡散クロックと、を含む複数種類のクロックに基づいて動作する電子機器であって、
前記クロックを生成する１つ以上のクロック発生器を備えると共に、
前記複数種類のクロックのうち、クロック発生器を駆動するための駆動電源電圧の最も高いクロックを、少なくとも前記拡散クロックとすることを特徴とする電子機器。
【請求項６】
請求項１ないし請求項５のうちの任意の１つに記載の電子機器において、
前記拡散クロックを生成する第１のクロック発生器と前記非拡散クロックを生成する第２のクロック発生器とを少なくとも備え、
前記第１及び第２のクロック発生器は同一のＩＣによって構成されていることを特徴とする電子機器。
【請求項７】
少なくとも液晶パネルを備え、周波数スペクトラムの拡散された拡散クロックと、周波数スペクトラムの拡散されていない非拡散クロックと、を含む複数種類のクロックに基づいて動作する液晶プロジェクタであって、
前記複数種類のクロックのうち、最終的に前記液晶パネルに供給されるクロックを、少なくとも前記拡散クロックとすることを特徴とする液晶プロジェクタ。
【発明の詳細な説明】
【０００１】
【発明の属する技術分野】
本発明は、電子機器が発生するＥＭＩノイズを低減するための技術に関するものである。
【０００２】
【従来の技術】
各種の電子機器が発生するノイズは、他の電子機器に好ましくない障害（ＥＭＩ（Ｅｌｅｃｔｒｏｍａｇｎｅｔｉｃ　Ｉｎｔｅｒｆｅｒｅｎｃｅ））を与える場合がある。このため、電子機器が発生するノイズ（以下、「ＥＭＩノイズ」と呼ぶ。）には、種々の規制が設けられている。
【０００３】
電子機器を開発し製造する場合において、通常、製造メーカは、製造する電子機器がＥＭＩノイズの規制を満足するように、電子機器が発生するＥＭＩノイズの低減を図っている。
【０００４】
ここで、電子機器は、通常、一種類または複数種類のクロックを基準に動作するのが一般的である。図３はクロックの周波数スペクトラムの例を示す説明図である。実線で示すように、クロックの周波数スペクトラムは、通常、クロックの発振周波数（基本波：ｆ１）とその調波に相当する各周波数（ｆ２，ｆ３…）で振幅のピークを有する。このため、電子機器において発生するＥＭＩノイズの周波数スペクトルも、通常、クロックの発振周波数（ｆ１）とその調波に相当する各周波数（ｆ２，ｆ３…）で振幅のピークを有する。ＥＭＩノイズを低減するためには、クロックの基本波とその調波の各周波数で発生する振幅のピークを低減することが要求される。
【０００５】
その一手法として、クロックの発振周波数を変化させることにより、図３に破線で示すように、周波数スペクトラムを拡散させて、クロックの基本波（ｆ１）とその調波の周波数（ｆ２，ｆ３…）で発生する周波数スペクトラムの振幅のピークを低減することが考えられている。以下では、クロックの発振周波数を変化させて、周波数スペクトラムを拡散させることを、「周波数拡散」と呼ぶ。また、クロックの発振周波数の変化量を「拡散量」と呼ぶ。一般に、拡散量が大きいほど、ＥＭＩノイズをより低減することが可能である。
【０００６】
【発明が解決しようとする課題】
このように、電子機器において、動作の基準となるクロックについて周波数拡散を施すことにより、発生するＥＭＩノイズの低減を図ることが可能である。しかしながら、周波数拡散を施すにはコストがかかるため、電子機器において、動作の基準となるクロックが複数種類存在する場合には、そのうちのどのクロックについて周波数拡散を施すかが問題となる。
【０００７】
従って、本発明の目的は、上記した従来技術の問題点を解決し、電子機器において、動作の基準となるクロックが複数種類存在する場合に、電子機器全体として、効率的にＥＭＩノイズを低減することが可能な技術を提供することにある。
【０００８】
【課題を解決するための手段およびその作用・効果】
上記した目的の少なくとも一部を達成するために、本発明の第１の電子機器は、周波数スペクトラムの拡散された拡散クロックと、周波数スペクトラムの拡散されていない非拡散クロックと、を含む複数種類のクロックに基づいて動作する電子機器であって、
前記クロックを動作の基準として利用する複数のＩＣを備えると共に、
前記複数種類のクロックのうち、そのクロックを利用しているＩＣの数が最も多いクロックを、少なくとも前記拡散クロックとすることを要旨とする。
【０００９】
本発明においては、利用しているＩＣの数が最も多いクロックを拡散クロックとすることにより、少なくとも、これらＩＣの発生するＥＭＩノイズを全て低減することができるので、電子機器全体として発生するＥＭＩノイズを効率的に低減することができる。
【００１０】
本発明の第２の電子機器は、周波数スペクトラムの拡散された拡散クロックと、周波数スペクトラムの拡散されていない非拡散クロックと、を含む複数種類のクロックに基づいて動作する電子機器であって、
前記クロックを動作の基準として利用する複数のＩＣと、
前記クロックを生成する１つ以上のクロック発生器と、
を備えると共に、
前記複数種類のクロックのうち、そのクロックが生成されるクロック発生器から、最終的にそのクロックが供給されるＩＣまで、のそのクロックの信号経路が最も長いクロックを、少なくとも前記拡散クロックとすることを要旨とする。
【００１１】
本発明においては、クロック発生器から最終的に供給されるＩＣまでの信号経路が最も長いクロックを拡散クロックとすることにより、そのクロックを利用しているＩＣから発生するＥＭＩノイズの他、それらＩＣ同士をつなぎ、そのクロックが伝送される配線から発生するＥＭＩノイズを全て低減することができるので、電子機器全体として発生するＥＭＩノイズを効率的に低減することができる。
【００１２】
本発明の第３の電子機器は、周波数スペクトラムの拡散された拡散クロックと、周波数スペクトラムの拡散されていない非拡散クロックと、を含む複数種類のクロックに基づいて動作する電子機器であって、
前記複数種類のクロックのうち、周波数が最も高いクロックを、少なくとも前記拡散クロックとすることを要旨とする。
【００１３】
本発明においては、周波数が最も高いクロックを拡散クロックとすることにより、電子機器全体として発生するＥＭＩノイズのエネルギを効率的に抑えることができ、ＥＭＩノイズの低減を図ることができる。
【００１４】
本発明の第４の電子機器は、周波数スペクトラムの拡散された拡散クロックと、周波数スペクトラムの拡散されていない非拡散クロックと、を含む複数種類のクロックに基づいて動作する電子機器であって、
前記クロックを生成する１つ以上のクロック発生器を備えると共に、
前記複数種類のクロックのうち、クロック発生器の出力する出力電流が最も大きいクロックを、少なくとも前記拡散クロックとすることを要旨とする。
【００１５】
本発明においては、クロック発生器の出力する出力電流が最も大きいクロックを拡散クロックとすることにより、電子機器全体として発生するＥＭＩノイズのエネルギを効果的に抑えることができる。
【００１６】
本発明の第５の電子機器は、周波数スペクトラムの拡散された拡散クロックと、周波数スペクトラムの拡散されていない非拡散クロックと、を含む複数種類のクロックに基づいて動作する電子機器であって、
前記クロックを生成する１つ以上のクロック発生器を備えると共に、
前記複数種類のクロックのうち、クロック発生器を駆動するための駆動電源電圧の最も高いクロックを、少なくとも前記拡散クロックとすることを要旨とする。
【００１７】
本発明においては、クロック発生器を駆動するための駆動電源電圧の最も高いクロックを拡散クロックとすることにより、第４の電子機器の場合と同様に、電子機器全体として発生するＥＭＩノイズのエネルギを効果的に抑えることができる。
【００１８】
本発明の電子機器において、前記拡散クロックを生成する第１のクロック発生器と前記非拡散クロックを生成する第２のクロック発生器とを少なくとも備え、前記第１及び第２のクロック発生器は同一のＩＣによって構成されていることが好ましい。
【００１９】
このような構成とすることにより、部品点数が削減できると共に、専有する回路面積も少なくて済む。
【００２０】
本発明の液晶プロジェクタは、少なくとも液晶パネルを備え、周波数スペクトラムの拡散された拡散クロックと、周波数スペクトラムの拡散されていない非拡散クロックと、を含む複数種類のクロックに基づいて動作する液晶プロジェクタであって、
前記複数種類のクロックのうち、最終的に前記液晶パネルに供給されるクロックを、少なくとも前記拡散クロックとすることを要旨とする。
【００２１】
液晶プロジェクタにおいては、通常、最終的に液晶パネルに供給されるクロック、すなわち、ディスプレイクロックが、利用しているＩＣの数が最も多いクロックに相当し、クロック発生器から最終的に供給されるＩＣまでの信号経路が最も長いクロックに相当するからである。
【００２２】
なお、本発明は、上記した電子機器，液晶プロジェクタなどの装置発明の態様に限ることなく、拡散クロック選択方法などの方法発明としての態様で実現することも可能である。
【００２３】
【発明の実施の形態】
以下、本発明の実施の形態を実施例に基づいて以下の順序で説明する。
Ａ．第１の実施例：
Ｂ．第２の実施例：
Ｃ．第３の実施例：
Ｄ．第４の実施例：
Ｅ．第５の実施例：
Ｆ．変形例：
【００２４】
以下の実施例では、電子機器の１つである液晶プロジェクタに、本発明を適用した場合について説明する。
【００２５】
Ａ．第１の実施例：
図１は本発明が適用された液晶プロジェクタの構成を示すブロック図である。図１に示す液晶プロジェクタ１００は、主として、入力インターフェイス１０２と、イメージプロセッサ１０４と、パネルコントローラ１０６と、パネルドライバ１０８と、液晶パネル１１０と、システムコントローラ１１２と、ＵＳＢ（Ｕｎｉｖｅｒｓａｌ　Ｓｅｒｉａｌ　Ｂｕｓ）コントローラ１１４と、１３０ＭＨｚ非拡散クロック発生器１１６と、７５ＭＨｚ拡散クロック発生器１１８と、５０ＭＨｚ非拡散クロック発生器１２０と、を備えている。これらは何れも、独立したＩＣ（集積回路）によって構成されている。このうち、イメージプロセッサ１０４は、内部にフレームメモリコントローラ１０５を有している。
【００２６】
入力インターフェイス１０２では、入力された画像信号がアナログ信号である場合には、Ａ／Ｄ変換を行って、イメージプロセッサ１０４に入力し、デジタル信号である場合には、イメージプロセッサ１０４に供給可能な形式に変換して、イメージプロセッサ１０４に入力する。イメージプロセッサ１０４では、フレームメモリコントローラ１０５による制御に従って、入力された画像信号をフレームメモリ（図示せず）に書き込むと共に、書き込んだ画像信号を読み出す。そして、この書き込みと読み出しの処理過程において、種々の画像処理を実行する。パネルコントローラ１０６は、画像処理の施された画像信号に基づいてパネルドライバ１０８を制御し、パネルドライバ１０８は、その制御に従って液晶パネル１１０を駆動する。液晶パネル１１０は、その駆動によって、照明光学系（図示せず）から射出された光を、画像信号に応じて変調する。変調された光は投写光学系（図示せず）によってスクリーン〔図示せず）上に投写され、これにより、スクリーン上に画像が表示される。
【００２７】
また、システムコントローラ１１２は、イメージプロセッサ１０４を制御する他、入力インターフェイス１０２やＵＳＢコントローラ１１４を制御する。ＵＳＢコントローラ１１４は、ＵＳＢポート〔図示せず〕に接続された他の電子機器からの制御信号などを入力したり、ＵＳＢポートに接続された別の電子機器に制御信号などを出力したりする。
【００２８】
本実施例においては、これら各構成要素における動作の基準となるクロックとして、メモリクロック１２２，ディスプレイクロック１２４及びシステムクロック１２６の３種類を用意している。このうち、メモリクロック１２２は、１３０ＭＨｚのクロックであって、１３０ＭＨｚ非拡散クロック発生器１１６にて生成され、イメージプロセッサ１０４におけるフレームメモリコントローラ１０５の動作の基準としてのみ利用される。また、ディスプレイクロック１２４は、７５ＭＨｚのクロックであって、７５ＭＨｚ拡散クロック発生器１１８にて生成され、イメージプロセッサ１０４におけるフレームメモリコントローラ１０５以外の回路部と、パネルコントローラ１０６と、パネルドライバ１０８と、液晶パネル１１０の動作の基準として利用される。さらに、システムクロック１２６は、５０ＭＨｚのクロックであって、５０ＭＨｚ非拡散クロック発生器１２０にて生成され、入力インターフェイス１０２と、システムコントローラ１１２と、ＵＳＢコントローラ１１４の動作の基準として利用される。
【００２９】
従って、これら３種類のクロックのうち、ディスプレイクロック１２４は、イメージプロセッサ１０４，パネルコントローラ１０６，パネルドライバ１０８及び液晶パネル１１０の各ＩＣにおいて利用されており、そのＩＣの数は、他のクロックの場合に比べて最も多くなっている。通常、ＥＭＩノイズは、そのクロックを利用しているＩＣから発せられるため、そのクロックを利用しているＩＣの数が多いほど、そのクロックに起因して発生するＥＭＩノイズの量も多くなる。
【００３０】
そこで、本実施例においては、このような利用しているＩＣの数が最も多いクロック、すなわち、ディスプレイクロック１２４について周波数拡散を施すようにしている。具体的には、ディスプレイクロック１２４を生成する７５ＭＨｚ拡散クロック発生器１１８として、クロックの発信周波数を変化させることにより、周波数スペクトラムが拡散されたクロック（以下、拡散クロックという）を出力する装置を用い、ディスプレイクロック１２４を拡散クロックとして生成するようにする。
【００３１】
これに対し、メモリクロック１２２は、イメージプロセッサ１０４におけるフレームメモリコントローラ１０５でのみ利用されるため、メモリクロック１２２を利用しているＩＣの数は１つに過ぎず、メモリクロック１２２に起因して発生するＥＭＩノイズの量も少ないため、メモリクロック１２２については、周波数拡散を施さないようにしている。具体的には、メモリクロック１２２を生成する１３０ＭＨｚ非拡散クロック発生器１１６として、実質的に単一な周波数を有するクロック（以下、非拡散クロックという）を出力する装置を用い、メモリクロック１２２を非拡散クロックとして生成するようにする。
【００３２】
一方、システムクロック１２６は、入力インターフェイス１０２，システムコントローラ１１２及びＵＳＢコントローラ１１４の各ＩＣにおいて利用されており、システムクロック１２６を利用しているＩＣの数は、ディスプレイクロック１２４の場合より少ない。また、入力インターフェイス１０２やＵＳＢコントローラ１１４で利用するクロックとして、拡散クロックを用いることは、以下の理由により好ましくない。
【００３３】
１）ＵＳＢでは、その規格によって、信号についてのジッタの許容範囲が５００ｐｐｍ以下と厳しく設定されている。従って、ＥＭＩノイズを低減するために、ＵＳＢコントローラ１１４で利用されるクロックを周波数拡散させると、拡散量によっては、ＵＳＢコントローラ１１４において、信号のジッタが上記許容範囲を超えてしまう可能性があるからである。
【００３４】
２）液晶プロジェクタ１００に入力される画像信号の仕様には、画像信号を出力する装置の種類（コンピュータ、ＤＶＤプレイヤ、ビデオレコーダ等）や、画像信号の表す画像の解像度等の種々の条件によって多くの種類が存在する。従って、液晶プロジェクタ１００においては、種々の仕様を有する画像信号の表す画像を表示可能とするために、入力される画像信号を解析して、その画像信号の仕様を判定し、その仕様に応じて、その画像信号を処理するようにしている。画像信号の仕様判定は、入力インターフェイス１０２において、入力される画像信号に対応する同期信号特性値として、同期信号周期および同期信号期間や、同期信号の極性等を求め、イメージプロセッサ１０４において、求められた同期信号特性値に対応する画像信号の仕様を、あらかじめ準備されているデータベースから求めることにより、行われる。入力インターフェイス１０２では、同期信号周期および同期信号期間を、システムクロック１２６に基づいて生成した測定用クロックでカウントすることにより測定する。従って、ＥＭＩノイズを低減するためにシステムクロック１２６を周波数拡散させると、システムクロック１２６に基づいて生成される測定用クロックも周波数拡散されることになる。測定用クロックが周波数拡散されると、発振周波数の変化に応じて、測定される同期信号特性値が変化する場合があり、実際の画像信号の仕様が変化していない場合であっても、画像信号の仕様が変化していると判定されてしまう可能性があるからである。
【００３５】
そこで、本実施例においては、システムクロック１２６についても、メモリクロック１２２と同様に、周波数拡散を施さないようにしている。具体的には、システムクロック１２６を生成する５０ＭＨｚ非拡散クロック発生器１２０として、１３０ＭＨｚ非拡散クロック発生器１１６と同様に、非拡散クロックを出力する装置を用い、システムクロック１２６を非拡散クロックとして生成するようにする。
【００３６】
以上説明したように、本実施例においては、利用しているＩＣの数が最も多いディスプレイクロック１２４について周波数拡散を施すことにより、少なくとも、これらＩＣの発生するＥＭＩノイズを全て低減することができるので、液晶プロジェクタ１００全体として発生するＥＭＩノイズを効率的に低減することができる。
【００３７】
また、周波数拡散を施すクロックは、ディスプレイクロック１２４のみであるため、周波数拡散を施すためにかかるコストを大幅に抑えることができる。
【００３８】
さらに、ＵＳＢコントローラ１１４や入力インターフェイス１０２で利用されるクロック、すなわち、システムクロック１２６については、周波数拡散を施していないため、上記１），２）で述べたような問題も発生しない。
【００３９】
Ｂ．第２の実施例：
上述したように、通常、ＥＭＩノイズは、そのクロックを利用しているＩＣから発せられるため、利用しているＩＣの数が多いほど、そのクロックに起因して発生するＥＭＩノイズの量も多くなる。そのため、上記した第１の実施例では、複数種類のクロックのうち、利用しているＩＣの数が最も多いクロックについて周波数拡散を施すようにしていた。
【００４０】
しかし、ＥＭＩノイズが発せられるのは、そのクロックを利用しているＩＣからだけではなく、それらＩＣとＩＣとをつなぎ、そのクロックが伝送される配線からも発せられる。
【００４１】
そこで、本実施例においては、そのクロックが生成されるクロック発生器から、最終的にそのクロックが供給されるＩＣまで、のそのクロックの信号経路が最も長いクロックについて周波数拡散を施すようにする。
【００４２】
例えば、図１に示す液晶プロジェクタ１００においては、ディスプレイクロック１２４が、７５ＭＨｚ拡散クロック発生器１１８から、イメージプロセッサ１０４，パネルコントローラ１０６，パネルドライバ１０８を介して、最終的な液晶パネル１１０に供給されており、その信号経路は、他のクロックの場合に比べて最も長くなっている。従って、第１の実施例の場合と同様に、ディスプレイクロック１２４について周波数拡散を行うようにする。
【００４３】
このように、本実施例においては、クロック発生器から最終的に供給されるＩＣまでの信号経路が最も長いディスプレイクロック１２４について周波数拡散を施すことにより、ディスプレイクロック１２４を利用しているＩＣから発生するＥＭＩノイズの他、それらＩＣ同士をつなぎ、ディスプレイクロック１２４が伝送される配線から発生するＥＭＩノイズを全て低減することができるので、液晶プロジェクタ１００全体として発生するＥＭＩノイズを効率的に低減することができる。
【００４４】
Ｃ．第３の実施例：
上記したとおり、第１の実施例では、複数種類のクロックのうち、利用しているＩＣの数が最も多いクロックについて、第２の実施例では、クロック発生器から最終的に供給されるＩＣまでの信号経路が最も長いクロックについて、それぞれ、周波数拡散を施すようにしていた。
【００４５】
これに対し、本実施例では、周波数が最も高いクロックについて周波数拡散を施すようにする。
【００４６】
前述したとおり、ＥＭＩノイズの周波数スペクトルは、通常、クロックの発振周波数（ｆ１）とその調波に相当する各周波数（ｆ２，ｆ３…）で振幅のピークを有する。従って、例えば、クロックとして、５０ＭＨｚのクロックと１００ＭＨｚのクロックが存在する場合に、２００ＭＨｚの高調波について、両者を比較すると、２００ＭＨｚは５０ＭＨｚの４倍であるのに対し、１００ＭＨｚの２倍であるため、高調波の次数は１００ＭＨｚの方が低い。通常、高調波は次数が低いほど、エネルギは高くなるので、２００ＭＨｚのＥＭＩノイズについては、５０ＭＨｚのクロックに起因して発生するＥＭＩノイズよりも、１００ＭＨｚのクロックに起因して発生するＥＭＩノイズの方が、エネルギは高くなる。
【００４７】
従って、上記したように、周波数が最も高いクロックについて周波数拡散を施すことにより、液晶プロジェクタ１００全体として発生するＥＭＩノイズのエネルギを効率的に抑えることができ、ＥＭＩノイズの低減を図ることができる。
【００４８】
Ｄ．第４の実施例：
上述したとおり、クロックはクロック発生器によって生成されている。クロック発生器から出力されるクロックのエネルギは、通常、クロック発生器から出力される出力電流の２乗に比例して大きくなる。一方、ＥＭＩノイズはクロックに起因して発生するため、ＥＭＩノイズのエネルギは、クロック発生器から出力されるクロックのエネルギが大きいほど大きくなる。
【００４９】
そこで、本実施例においては、クロック発生器の出力する出力電流が最も大きいクロックについて周波数拡散を施すようにしている。
【００５０】
このようなクロックについて周波数拡散を施すことにより、液晶プロジェクタ１００全体として発生するＥＭＩノイズのエネルギを効率的に抑えることができ、ＥＭＩノイズの低減を図ることができる。
【００５１】
Ｅ．第５の実施例：
クロック発生器から出力されるクロックのエネルギは、通常、クロック発生器を駆動するための駆動電源電圧が高いほど大きくなる。一方、上述したとおり、ＥＭＩノイズのエネルギは、クロック発生器から出力されるクロックのエネルギが大きいほど大きくなる。
【００５２】
そこで、本実施例においては、クロック発生器を駆動するための駆動電源電圧の最も高いクロックについて周波数拡散を施すようにしている。
【００５３】
このようなクロックについて周波数拡散を施すことによっても、第４の実施例の場合と同様に、液晶プロジェクタ１００全体として発生するＥＭＩノイズのエネルギを効率的に抑えることができ、ＥＭＩノイズの低減を図ることができる。
【００５４】
Ｆ．変形例：
なお、本発明は上記した実施例や実施形態に限られるものではなく、その要旨を逸脱しない範囲において種々の態様にて実施することが可能である。
【００５５】
上記した第１の実施例においては、利用しているＩＣの数が最も多いクロック、すなわち、ディスプレイクロック１２４についてのみ、周波数拡散を施すようにし、他のクロック、すなわち、メモリクロック１２２，システムクロック１２６については周波数拡散を施さないようにしていたが、ディスプレイクロック１２４の他に、例えば、メモリクロック１２２についても、周波数拡散を施すようにしてもよい。つまり、電子機器において複数種類のクロックが存在する場合に、利用しているＩＣの数が最も多いクロックについて、少なくとも、周波数拡散を施すようにすればよい。なお、このことは、他の実施例においても、同様である。
【００５６】
上記した第１の実施例においては、非拡散クロックを生成するクロック発生器１１６または１２０と、拡散クロックを生成するクロック発生器１１８と、は互いに独立したＩＣによって構成されていたが、同一のＩＣによって構成するようにしてもよい。
【００５７】
図２は非拡散クロックを生成するクロック発生器と拡散クロックを生成するクロック発生器とを同一のＩＣによって構成した一例を示すブロック図である。この例では、図１に示した３つのクロック発生器を同一のＩＣによって構成している。このＩＣ１３０は、水晶発振器１３２と周波数シンセサイザ１３４とを備えており、外部に水晶振動子１３６が接続されている。このＩＣ１３０では、水晶発振器１３２が、水晶振動子１３６を誘導性インピーダンスとして用いて、一定周波数の信号を発生し、周波数シンセサイザ１３４が、その信号から、それぞれ、周波数の異なる２つの非拡散クロックと、所定の拡散量で周波数拡散の施された拡散クロックと、を生成し、メモリクロック１２２，システムクロック１２６及びディスプレイクロック１２４を得ている。
【００５８】
このように、非拡散クロックを生成するクロック発生器と、拡散クロックを生成するクロック発生器と、を同一のＩＣで構成することにより、部品点数が削減できると共に、専有する回路面積も少なくて済む。
【００５９】
なお、上記例では、図１に示した３つのクロック発生器を同一のＩＣによって構成するようしたが、例えば、クロック発生器１１６とクロック発生器１１８との組み合わせで同一のＩＣによって構成するようにしても良いし、クロック発生器１２０とクロック発生器１１８との組み合わせで同一ＩＣにより構成するようにしてもよい。
【図面の簡単な説明】
【図１】本発明が適用された液晶プロジェクタの構成を示すブロック図である。
【図２】非拡散クロックを生成するクロック発生器と拡散クロックを生成するクロック発生器とを同一のＩＣによって構成した一例を示すブロック図である。
【図３】クロックの周波数スペクトラムの例を示す説明図である。
【符号の説明】
１００…液晶プロジェクタ
１０２…入力インターフェイス
１０４…イメージプロセッサ
１０５…フレームメモリコントローラ
１０６…パネルコントローラ
１０８…パネルドライバ
１１０…液晶パネル
１１２…システムコントローラ
１１４…ＵＳＢコントローラ
１１６…１３０ＭＨｚ非拡散クロック発生器
１１８…７５ＭＨｚ拡散クロック発生器
１２０…５０ＭＨｚ非拡散クロック発生器
１２２…メモリクロック
１２４…ディスプレイクロック
１２６…システムクロック
１３２…水晶発振器
１３４…周波数シンセサイザ
１３６…水晶振動子
【図１】
2004023556.tif 000003
【図２】
2004023556.tif 000004
【図３】
2004023556.tif 000005